(57)【要約】【課題】  装置の小型化、部品点数の削減、光学モジュールの速度変化の低減および修理等を容易に行うことが可能な画像読取装置の提供。【解決手段】  シャフト１４の両端部には駆動ドラム１５、１６が取り付けられる。駆動ドラム１５にはワイヤー１９が所定回数巻回された後、その一端はプーリ１７で折り返され、駆動ドラム１５側の他端と連結される。駆動ドラム１６にはワイヤー２０が所定回数巻回された後、その一端はプーリ１８で折り返され、駆動ドラム１６側の他端と連結される。従って、ワイヤー１９はプーリ１７および駆動ドラム１５間で閉ループを形成し、ワイヤー２０はプーリ１８および駆動ドラム１６間で閉ループを形成する。駆動ドラム１５、１６が回転するとワイヤー１９、２０により光学モジュール１１が原稿と平行に牽引される。【選択図】      図１
2007322564.tif 000002
【特許請求の範囲】
【請求項１】
光源からの光を原稿に照射し、その反射光で前記原稿に表示された画像を読み取る光学モジュールと、前記光学モジュールに連結されるワイヤーと、前記ワイヤーが巻回され前記光学モジュールを前記原稿と平行に移動させる駆動ドラムとを含む画像読取装置であって、
プーリと、前記プーリと対向して設けられる前記駆動ドラムと、前記プーリおよび前記駆動ドラム間に繋げられる前記ワイヤーとを含み、前記ワイヤーは前記プーリおよび前記駆動ドラム間で閉ループを形成することを特徴とする画像読取装置。
【請求項２】
前記駆動ドラムに巻回されるワイヤーの巻き角度は、前記光学モジュールが前記駆動ドラムから離れるに従って大きくなり、前記光学モジュールが前記駆動ドラムに近づくに従って０度に近づくよう構成されることを特徴とする請求項１記載の画像読取装置。
【請求項３】
前記ワイヤーの両端部が連結されるブラケットを含み、前記ブラケットが着脱自在に前記光学モジュールに取り付けられることを特徴とする請求項１または２記載の画像読取装置。
【請求項４】
光源からの光を原稿に照射し、その反射光で前記原稿に表示された画像を読み取る光学モジュールと、前記光学モジュールに連結されるワイヤーと、前記ワイヤーが巻回され前記光学モジュールを前記原稿と平行に移動させる駆動ドラムとを含む画像読取装置の光学モジュール牽引機構であって、
プーリと、前記プーリと対向して設けられる前記駆動ドラムと、前記プーリおよび前記駆動ドラム間に繋げられる前記ワイヤーとを含み、前記ワイヤーは前記プーリおよび前記駆動ドラム間で閉ループを形成することを特徴とする光学モジュール牽引機構。
【請求項５】
前記駆動ドラムに巻回されるワイヤーの巻き角度は、前記光学モジュールが前記駆動ドラムから離れるに従って大きくなり、前記光学モジュールが前記駆動ドラムに近づくに従って０度に近づくよう構成されることを特徴とする請求項４記載の光学モジュール牽引機構。
【請求項６】
前記ワイヤーの両端部が連結されるブラケットを含み、前記ブラケットが着脱自在に前記光学モジュールに取り付けられることを特徴とする請求項４または５記載の光学モジュール牽引機構。
【発明の詳細な説明】
【技術分野】
【０００１】
本発明は、画像読取装置およびその光学モジュール牽引機構に関し、特に複写機等の画像読取装置およびその光学モジュール牽引機構に関する。
【背景技術】
【０００２】
図１２は従来の画像読取装置の一例の平面図である。同図を参照すると、従来の画像読取装置１００は、第１光学モジュール（一例としてフルレートキャリッジ）１０１と、第２光学モジュール（一例としてハーフレートキャリッジ）１０２と、一対のプーリ１０３、１０４と、これらのプーリ１０３、１０４と対向する一対のプーリ１０５、１０６と、第２光学モジュール１０２の両端に設けられる一対のプーリ１０７，１０８と、プーリ１０３、第１光学モジュール１０１に設けられる図示しないプーリ、プーリ１０８および１０５を介して設けられるワイヤー１０９と、プーリ１０４、第１光学モジュール１０１に設けられる図示しない他のプーリ、プーリ１０７および１０６を介して設けられるワイヤー１１０とを含んでいる。
【０００３】
また、ワイヤー１０９はプーリ１０８および第１光学モジュール１０１に設けられる図示しないプーリにそれぞれ所定回数巻回され、同様にワイヤー１１０はプーリ１０７および第１光学モジュール１０１に設けられる図示しない他のプーリにそれぞれに所定回数巻回されている。
【０００４】
この構成により、図示しない駆動源からの動力がプーリ１０３、１０４に伝達され、プーリ１０３、１０４を回転させることにより、第１光学モジュール１０１に設けられる図示しないプーリ、プーリ１０８、１０５および第１光学モジュール１０１に設けられる図示しない他のプーリ、プーリ１０７、１０６を介してワイヤー１０９および１１０が第１光学モジュール１０１および第２光学モジュール１０２を牽引する。これにより、第１光学モジュール１０１および第２光学モジュール１０２が所定速度で画像読取装置１００上を図示しない原稿と平行に移動し、原稿を読み取る。
【０００５】
図１３は従来の画像読取装置の一例の断面図である。同図は図１２におけるプーリ１０４付近の構成の詳細を示している。同図において図１２と同様の構成部分には同一番号を付し、その説明を省略する。
【０００６】
同図を参照すると、従来の画像読取装置１００は、プーリ１０４とプーリ１０６間でかつプーリ１０４に近接して駆動ドラム１１１が設けられており、この駆動ドラム１１１にワイヤー１１０が所定回数巻回されている。
【０００７】
また、前述の駆動源はこの駆動ドラム１１１を回転させるように構成されており、その駆動ドラム１１１の回転力で前述の光学モジュール１０１および１０２を牽引させる。なお、同図には一例として光学モジュール１０１および１０２を一体化させたものが表示されているが、このような単体の光学モジュールで構成された画像読取装置にも本発明の適用が可能である。
【０００８】
図１４は従来の画像読取装置の一例の駆動ドラム１１１付近の構成の詳細を示す部分平面図である。同図を参照すると、ワイヤー１１０はプーリ１０４を介して所定角度１１２で駆動プーリ１１１に巻回されている。
【０００９】
一方、駆動プーリにワイヤーを巻回しその一端を従動プーリで折り返し光学モジュールを牽引する画像読取装置が開示されている（たとえば、特許文献１および２参照）。
【００１０】
また、ワイヤーの両端にブラケットを取り付け、そのブラケットを光学モジュールに固定する画像読取装置が開示されている（たとえば、特許文献３参照）。
【００１１】
【特許文献１】特開２００４−０７７９５２号公報（段落００１６、図３）
【特許文献２】特開２００５−０７０２２９号公報（段落００２５，００２６、図３）
【特許文献３】特開２００５−１９５８１４号公報（段落００４０、図８）
【発明の開示】
【発明が解決しようとする課題】
【００１２】
しかし、従来の画像読取装置は、図１３に示すように、駆動ドラム１１１よりも画像読取装置１００の端側にプーリ１０４を配置しているため、画像読取装置１００の光学モジュール移動方向の寸法が長くなるという課題があった。
【００１３】
また、プーリ１０４およびプーリ１０４を固定する部品が必要となり、部品点数が多くなるため、画像読取装置のコストが上昇し、さらにプーリ１０４の組み立て時間が必要となることから、工数が増加するという課題もあった。
【００１４】
また、従来の画像読取装置は、図１４に示すように、駆動ドラム１１１とプーリ１０４との距離が比較的短いため、駆動ドラム１１１のワイヤー１１０の巻き角度１１２が比較的大きくなる。このワイヤー１１０の巻き角度１１２が大きいとこのワイヤー１１０で牽引される光学モジュールの速度変化が大きくなる。すなわち、駆動ドラム１１１のワイヤー１１の巻き速度に対し、巻き角度１１２の変化が急峻となる。
【００１５】
その理由について、以下説明する。図１５は駆動ドラム１１１のワイヤー１１の巻き速度と巻き角度１１２との関係を示す模式図である。同図の「Ａ方向」はプーリ１０４から駆動プーリ１１１へ巻回される側のワイヤー１１０の方向を示し、「Ｂ方向」はプーリ１０４から光学モジュールに接続される側のワイヤー１１０の方向を示す。
【００１６】
同図に示すように、「Ａ方向」の辺は直角三角形の斜辺をなす。したがって、「Ａ方向」の辺の長さが「Ｂ方向」の辺の長さよりも長くなる。すなわち、「Ａ方向」にワイヤー１１０を一定長引いたとしても、巻き角度１１２が大きくなればなるほど「Ｂ方向」の辺の長さ、すなわち光学モジュールの移動距離は短くなる。
【００１７】
また、従来の画像読取装置は、図１２に示すように、光学モジュール１０２を牽引するワイヤー１１０が、その光学モジュール１０２に固定されているプーリ１０７に掛かっているため、光学モジュール１０２を外すとワイヤー１１０が解けてしまう。そのため、修理等の目的で光学モジュール１０２を外すと、復旧に長時間を要するという課題があった。
【００１８】
一方、特許文献１および２には駆動プーリと、画像読取装置の端側に設けたもう一つのプーリ（従動プーリ）が開示されているだけであり、ここには本発明の特徴は開示されていない。
【００１９】
また、特許文献３にはワイヤーの両端に取り付けたブラケットを光学モジュールに固定する構成が開示されているだけであり、光学モジュールを外すためにはワイヤー両端のブラケットも外さなければならず、この両端のブラケットを外せばワイヤーが解けてしまい、本発明の目的を達成することはできない。
【００２０】
そこで本発明の目的は、装置の小型化、部品点数の削減、光学モジュールの速度変化の低減および修理等を容易に行うことが可能で、これにより比較的安価な装置を提供することができ、しかも組み立て時間、組み立て工数および組み立てバラツキの削減および比較的短時間での修復が可能な画像読取装置およびその光学モジュール牽引機構を提供することにある。
【課題を解決するための手段】
【００２１】
前記課題を解決するために、本発明による画像読取装置は、光源からの光を原稿に照射し、その反射光で前記原稿に表示された画像を読み取る光学モジュールと、前記光学モジュールに連結されるワイヤーと、前記ワイヤーが巻回され前記光学モジュールを前記原稿と平行に移動させる駆動ドラムとを含む画像読取装置であって、プーリと、前記プーリと対向して設けられる前記駆動ドラムと、前記プーリおよび前記駆動ドラム間に繋げられる前記ワイヤーとを含み、前記ワイヤーは前記プーリおよび前記駆動ドラム間で閉ループを形成することを特徴とする。
【００２２】
また、本発明による光学モジュール牽引機構は、光源からの光を原稿に照射し、その反射光で前記原稿に表示された画像を読み取る光学モジュールと、前記光学モジュールに連結されるワイヤーと、前記ワイヤーが巻回され前記光学モジュールを前記原稿と平行に移動させる駆動ドラムとを含む画像読取装置の光学モジュール牽引機構であって、プーリと、前記プーリと対向して設けられる前記駆動ドラムと、前記プーリおよび前記駆動ドラム間に繋げられる前記ワイヤーとを含み、前記ワイヤーは前記プーリおよび前記駆動ドラム間で閉ループを形成することを特徴とする。
【００２３】
ここで、本発明の作用を述べる。従来は駆動ドラム１１１よりも装置１００の端側にプーリ１０４を設け、プーリ１０４を介して光学モジュールを牽引していたが（図１３参照）、本発明ではプーリ１０４を削除し、駆動ドラム１６を介して光学モジュール１１を直接牽引する（図１および２参照）。
【００２４】
これにより、駆動ドラム１６から直接光学モジュール１１にワイヤー２０が繋がる構成となるため、光学モジュール１１が駆動ドラム１６から離れた場合は、駆動ドラム１６と光学モジュール１１間のワイヤー２０の長さが比較的長くなり、これにより光学モジュール１１の移動に対する駆動ドラム１６のワイヤー２０の巻き角度１１２の変化を従来よりも緩やかにすることができ、光学モジュール１１の速度変化の低減を図ることが可能となる。
【００２５】
また、ワイヤー２０の両端をブラケット４１に連結させ、そのブラケット４１を光学モジュール１１に取り付ける構成としたため、光学モジュール１１を外してもワイヤー２０が解けないという効果を奏する。
【発明の効果】
【００２６】
本発明によれば、上記構成を含むため、装置の小型化、部品点数の削減、光学モジュールの速度変化の低減および修理等を容易に行うことが可能で、これにより比較的安価な装置を提供することができ、しかも組み立て時間、組み立て工数および組み立てバラツキの削減および比較的短時間での修復が可能な画像読取装置およびその光学モジュール牽引機構が得られる。
【発明を実施するための最良の形態】
【００２７】
以下、本発明の実施例について添付図面を参照しながら説明する。図１は本発明に係る画像読取装置の一例の斜視図である。
【００２８】
同図を参照すると、本発明に係る画像読取装置１は、光学モジュール１１と、モータ１２と、伝達ギヤ１３と、シャフト１４と、駆動ドラム１５、１６と、プーリ１７、１８と、ワイヤー１９、２０と、レール２１とを含んで構成される。
【００２９】
レール２１は便宜上本体の一方の側のものしか図示していないが、実際には両側に設けられている。
【００３０】
レール２１に光学モジュール１１の両端部が摺動可能に載置されている。モータ１２は光学モジュール１１の駆動源をなし、モータ１２の回転は伝達ギヤ１３で減速された後シャフト１４に伝達され、シャフト１４を回転させる。
【００３１】
シャフト１４の両端部には駆動ドラム１５、１６が取り付けられている。また、駆動ドラム１５にはワイヤー１９が所定回数巻回された後、その一端はプーリ１７で折り返され、駆動ドラム１５側の他端と連結される。同様に、駆動ドラム１６にはワイヤー２０が所定回数巻回された後、その一端はプーリ１８で折り返され、駆動ドラム１６側の他端と連結される。
【００３２】
従って、ワイヤー１９はプーリ１７および駆動ドラム１５間で閉ループを形成し、同様にワイヤー２０はプーリ１８および駆動ドラム１６間で閉ループを形成する。
【００３３】
この構成により、モータ１２が回転すると、駆動ドラム１５、１６でワイヤー１９、２０が巻き上げられ、これにより光学モジュール１１がレール２１の上を図示しない原稿と平行に移動する。
【００３４】
図２および図３は本発明に係る画像読取装置１の一例の断面図である。同図において図１と同様の構成部分には同一番号を付し、その説明を省略する。図２は光学モジュール１１が駆動ドラム１６よりも遠隔に移動した状態の一例を示し、図３は光学モジュール１１が駆動ドラム１６に近接した状態の一例を示している。
【００３５】
次に、光学モジュール１１の具体的な構成の一例について説明する。図４は光学モジュール１１の一例の側面図、図５は光学モジュール１１の一例の断面図である。
【００３６】
図４および図５は光学モジュール１１が駆動ドラム１６、１５側に移動した状態を示している。また、図５は原稿の読み取り経路を具体的に示している。
【００３７】
図５を参照すると、光学モジュール１１は図示しない原稿に光を照射するランプ３１と、ミラー３２〜３６と、レンズ３７と、撮像素子（一例として、ＣＣＤ：ｃｈａｒｇｅ  ｃｏｕｐｌｅｄ  ｄｅｖｉｃｅ）３８とを含んで構成される。
【００３８】
同図において番号３９は原稿の反射光の光路を示す。ランプ３１による原稿の反射光３９はまずミラー３２で反射し、さらにミラー３３、３４、再び３３、３５、３６の順に反射し、次いでレンズ３７を透過して撮像素子３８に到達し、撮像素子３８にて画像が読み取られる。この画像読み取りが光学モジュール１１を移動しながら順次行われる。
【００３９】
次に、駆動ドラム１５、１６にそれぞれ巻回されたワイヤー１９、２０と、ワイヤー１９、２０の巻き角度１１２との関係について説明する。図６は本発明に係る画像読取装置の一例の平面図である。なお、同図において図１と同様の構成部分には同一の番号を付し、その説明を省略する。
【００４０】
駆動ドラム１５に巻回されるワイヤー１９の巻き角度１１２は、光学モジュール１１が駆動ドラム１５から離れるに従って大きくなり、光学モジュール１１が駆動ドラム１５に近づくに従って０度に近づくよう構成されている。すなわち、光学モジュール１１の速度は光学モジュール１１が駆動ドラム１５から離れるに従って遅くなり、光学モジュール１１が駆動ドラム１５に近づくに従って速くなる。
【００４１】
しかしながら、光学モジュール１１と駆動ドラム１５、１６間の移動距離は、従来の駆動ドラム１１１とプーリ１０４間の距離（図１４参照）に比べて十分長いため、光学モジュール１１の移動に対するワイヤー１９、２０の巻き角度１１２の変化量は従来例（図１４参照）に比べて小さい。したがって、本発明によれば、光学モジュール１１の速度変化を従来例（図１４参照）に比べ緩やかにすることが可能となる。
【００４２】
次に、ワイヤー１９、２０に使用するブラケットについて説明する。図７は図６の画像読取装置から光学モジュール１１を外した状態を示す平面図である。なお、同図において図１と同様の構成部分には同一の番号を付し、その説明を省略する。
【００４３】
図７を参照すると、ワイヤー１９の端部１９ａ、１９ｂはブラケット４０で連結されている。またブラケット４０にはボルトを貫通させるための穴４０ａ（本実施例では横長の穴を一例に挙げているが、円形の穴でもよい）が設けられている。
【００４４】
同様に、ワイヤー２０の端部２０ａ、２０ｂはブラケット４１で連結されている。またブラケット４１にはボルトを貫通させるための穴４１ａ（本実施例では横長の穴を一例に挙げているが、円形の穴でもよい）が設けられている。
【００４５】
図８は駆動ドラム１５のワイヤー１９の巻き取りとブラケット４０の移動の関係を示す模式図である。同図はブラケット４０が駆動ドラム１５から離れるに従って巻き角度１１２が大きくなり、駆動ドラム１５に近づくに従って巻き角度１１２が０度に近づくことを示している。なお、駆動ドラム１６のワイヤー２０の巻き取りとブラケット４１の移動の関係も上記と同様であるため、その説明を省略する。
【００４６】
図９は駆動ドラム１５、プーリ１７、ワイヤー１９およびブラケット４０の関係を示す模式図である。同図には駆動ドラム１５にワイヤー１９が所定回数巻回された後、プーリ１７を介してループを形成する形態およびワイヤー１９の両端１９ａ、１９ｂがブラケット４０に連結される形態が示されている。
【００４７】
次に、ブラケット４０、４１を光学モジュール１１に取り付ける方法について説明する。図１０および図１１はブラケット４０、４１を光学モジュール１１に取り付ける方法の一例を示す画像読取装置１の部分外観図である。
【００４８】
図１０はブラケット４０の取り付けの一例を示し、図１１はブラケット４１の取り付けの一例を示している。
【００４９】
図１０を参照すると、ブラケット４０は穴４０ａを介してボルト４２により光学モジュール１１に固定されている。そのボルト４２固定のための図示しない穴が光学モジュール１１に予め設けられている。
【００５０】
同様に、図１１を参照すると、ブラケット４１は穴４１ａを介してボルト４３により光学モジュール１１に固定されている。そのボルト４３固定のための図示しない穴が光学モジュール１１に予め設けられている。
【００５１】
従って、光学モジュール１１を画像読取装置１本体から外す場合、まずボルト４２および４３を外してブラケット４０および４１を光学モジュール１１から外し、次いで光学モジュール１１を画像読取装置１本体から外す。
【００５２】
この状態では、ワイヤー１９および２０はブラケット４０および４１に連結されたままであり、プーリ１７と駆動ドラム１５間およびプーリ１８と駆動ドラム１６間でループ状態を保持している。
【００５３】
すなわち、本発明によれば、光学モジュール１１を外してもワイヤー１９および２０は解けないという効果を奏する。
【００５４】
以上説明したように本発明によれば、駆動ドラムから直接ワイヤーで光学モジュールを牽引することで、小型の画像読取装置を提供することができる。また、部品点数が削減できることから安価な画像読取装置を提供することができる。また、組み立て時間が削減でき、組み立て工数が削減できる。また、部品点数が削減できることから組み立てバラツキが削減でき、組み立て後の精度が向上する。そのため、走査時の精度が向上し、良好な読み取り画像を提供できる。
【００５５】
一方、駆動ドラム１５、１６から直接ワイヤー１９、２０で光学モジュール１１を牽引することで、光学モジュール１１と駆動ドラム１５、１６間の移動距離は、従来の駆動ドラム１１１とプーリ１０４間の距離（図１４参照）に比べて十分長くなるため、光学モジュール１１の移動に対するワイヤー１９、２０の巻き角度１１２の変化量を従来例（図１４参照）に比べて十分小さくすることが可能となる。したがって、本発明によれば、光学モジュール１１の速度変化を従来例（図１４参照）に比べ緩やかにすることが可能となる。
【００５６】
また、ワイヤー１９、２０の両端をそれぞれブラケット４０、４１で連結することで、修理等の目的で光学モジュール１１を外した際、ワイヤー１９、２０が解けないため、どこでも短時間で修復することが可能となる。
【産業上の利用可能性】
【００５７】
本発明はファクシミリ装置、複写機、複合機における画像読取装置に適用することが可能である。
【図面の簡単な説明】
【００５８】
【図１】本発明に係る画像読取装置の一例の斜視図である。
【図２】本発明に係る画像読取装置１の一例の断面図である。
【図３】本発明に係る画像読取装置１の一例の断面図である。
【図４】光学モジュール１１の一例の側面図である。
【図５】光学モジュール１１の一例の断面図である。
【図６】本発明に係る画像読取装置の一例の平面図である。
【図７】図６の画像読取装置から光学モジュール１１を外した状態を示す平面図である。
【図８】駆動ドラム１５のワイヤー１９の巻き取りとブラケット４０の移動の関係を示す模式図である。
【図９】駆動ドラム１５、プーリ１７、ワイヤー１９およびブラケット４０の関係を示す模式図である。
【図１０】ブラケット４０を光学モジュール１１に取り付ける方法の一例を示す画像読取装置１の部分外観図である。
【図１１】ブラケット４１を光学モジュール１１に取り付ける方法の一例を示す画像読取装置１の部分外観図である。
【図１２】従来の画像読取装置の一例の平面図である。
【図１３】従来の画像読取装置の一例の断面図である。
【図１４】従来の画像読取装置の一例の駆動ドラム１１１付近の構成の詳細を示す部分平面図である。
【図１５】駆動ドラム１１１のワイヤー１１の巻き速度と巻き角度１１２との関係を示す模式図である。
【符号の説明】
【００５９】
１  画像読取装置
１１  光学モジュール
１５，１６  駆動ドラム
１７，１８  プーリ
１９，２０  ワイヤー
３１  ランプ
３２〜３６  ミラー
３７  レンズ
３８  撮像素子
４０、４１  ブラケット
４０ａ，４０ｂ  穴
１９ａ，１９ｂ  ワイヤーの端部
２０ａ，２０ｂ  ワイヤーの端部
４２，４３  ボルト
【図１】
2007322564.tif 000003
【図２】
2007322564.tif 000004
【図３】
2007322564.tif 000005
【図４】
2007322564.tif 000006
【図５】
2007322564.tif 000007
【図６】
2007322564.tif 000008
【図７】
2007322564.tif 000009
【図８】
2007322564.tif 000010
【図９】
2007322564.tif 000011
【図１０】
2007322564.tif 000012
【図１１】
2007322564.tif 000013
【図１２】
2007322564.tif 000014
【図１３】
2007322564.tif 000015
【図１４】
2007322564.tif 000016
【図１５】
2007322564.tif 000017